(57)【要約】【課題】装置のフレームに結束バンド固定具を着脱するための専用の治具を用いずとも、作業者が容易にかつ効率よく結束バンド固定具をフレームに着脱できるようにする。【解決手段】ビット部１０と、握り部１１とで構成され、握り部１１には、板状の基板部３０と、基板部３０の上面に配設され結束バンドが挿通可能なバンド挿通部３１と、基板部３０の上面にバンド挿通部３１から両側に延出するように立設されたヘッド部３２と、基板部３０の下面に連結部３３を介し配設されフレーム４のＣ型溝４１に挿入されてから回転することで基板部３０と共にフレーム４を挟み込む係止部３４と、を備えた結束バンド固定具３のヘッド部３２を収容する収容部１１２を備え、Ｃ型溝４１に結束バンド固定具３の係止部３４を挿入しヘッド部３２を収容部１１２に収容し握り部１１を回転させることでフレーム４に結束バンド固定具３を固定する機能を備えるドライバ工具１である。【選択図】図１
2017131995.tif 000002
【特許請求の範囲】
【請求項１】
ネジを回転させるドライバ工具であって、
ネジ頭に挿入するビット部と、ビット部と連結される握り部とで構成され、
該握り部には、
板状の基板部と、該基板部の上面に配設され結束バンドが挿通可能なバンド挿通部と、該基板部の上面に該バンド挿通部から両側に延出するように立設されたヘッド部と、該基板部の下面に連結部を介して配設され各種装置を構成する骨材でありＣ型溝を有するフレームの該Ｃ型溝に挿入されてから回転することにより該基板部と共に該フレームを挟み込む係止部と、を備えた結束バンド固定具の該ヘッド部を収容する収容部を備え、
該Ｃ型溝に該結束バンド固定具の該係止部を挿入し該ヘッド部を該収容部に収容し該握り部を回転させることで該結束バンド固定具を回転させ該フレームに結束バンド固定具を固定する機能を備えるドライバ工具。
【発明の詳細な説明】
【技術分野】
【０００１】
本発明は、ネジの取り付け或いは取り外しを行うドライバ工具に関する。
【背景技術】
【０００２】
例えば、延在方向に平行なＣ型溝（断面がＣ型を形成する溝）をその４つの側面に有し所定の規格で形成されたアルミニウム等の合金製の構造材（以下、フレームとする。）は、各種加工装置等を構成する骨材として広く用いられている。切削装置、研削装置等の加工装置において、装置内部及び外部には様々な配線コードや液体及びエアを通すための配管が配備されているが、配線コードや配管を加工装置のフレームに固定する際には、例えば、ナイロン等の高分子樹脂からなる結束バンドで配線コードや配管をフレーム上で締め付けて結束し固定する。この際、結束を容易に行うために、結束バンドを挿通するバンド挿通部を備える結束バンド固定具が多用されており、この結束バンド固定具はフレームの側面に固定することで使用される（例えば、特許文献１参照）。
【先行技術文献】
【特許文献】
【０００３】
【特許文献１】特開２０１５−１４８２６９号公報
【発明の概要】
【発明が解決しようとする課題】
【０００４】
上記結束バンド固定具は、結束バンド固定具の係止部をＣ型溝中に挿入した後、フレームの外側に突き出た状態となっているヘッド部を約９０度捻ることで、フレームに固定することができる。ここで、配線コードや配管をフレームに結束固定した場合に、配線コードや配管が外側に大きく張り出さないようにするために、例えば、結束バンド固定具のヘッド部には配線コード等を落とし込むための凹み等が設けられており、また、ヘッド部自体の大きさも小型化されている。さらに、結束バンド固定具はフレームと強固に固定する目的で係止部の噛み合い交差が小さく形成されてもいる。そのため、係止部をＣ型溝中に挿入して捻ってフレームに固定する際、又はフレームに固定されている結束バンド固定具をフレームから離脱させる際に、作業者が直にヘッド部を摘んで捻る場合には、大きなピンチ力や回転力を加える必要があり、作業者の多大な労力が必要となっていた。
【０００５】
そのため、結束バンド固定具を装置のフレームに容易に着脱できるように、ヘッド部を回転させるための専用の着脱治具を使用する場合もある。しかし、このような着脱治具は、ヘッド部の回転用以外の用途がほとんどなく、ヘッド部を回転させるためだけに着脱治具を製造することの費用対効果に乏しい。また、配線コードや配管をフレームに結束固定する際には、並行して、ドライバ等の他の工具を用いて加工装置の他の構成を変更（分解や組み立て）する場合も多く、作業者が着脱治具と他の工具との持ち替えを頻繁に行うことで作業効率が落ちるという問題もあった。
【０００６】
よって、結束バンド固定具を用いて配線コードや配管をフレームに結束固定する場合においては、専用の着脱治具を用いずとも、作業者が容易にかつ効率よく結束バンド固定具を装置のフレームに着脱できるようにするという課題がある。
【課題を解決するための手段】
【０００７】
上記課題を解決するための本発明は、ネジを回転させるドライバ工具であって、ネジ頭に挿入するビット部と、ビット部と連結される握り部とで構成され、該握り部には、板状の基板部と、該基板部の上面に配設され結束バンドが挿通可能なバンド挿通部と、該基板部の上面に該バンド挿通部から両側に延出するように立設されたヘッド部と、該基板部の下面に連結部を介して配設され各種装置を構成する骨材でありＣ型溝を有するフレームの該Ｃ型溝に挿入されてから回転することにより該基板部と共に該フレームを挟み込む係止部と、を備えた結束バンド固定具の該ヘッド部を収容する収容部を備え、該Ｃ型溝に該結束バンド固定具の該係止部を挿入し該ヘッド部を該収容部に収容し該握り部を回転させることで該結束バンド固定具を回転させ該フレームに結束バンド固定具を固定する機能を備えるドライバ工具である。
【発明の効果】
【０００８】
本発明に係るドライバ工具は、ネジ頭に挿入するビット部と、ビット部と連結される握り部とで構成され、握り部には、板状の基板部と、基板部の上面に配設され結束バンドが挿通可能なバンド挿通部と、基板部の上面にバンド挿通部から両側に延出するように立設されたヘッド部と、基板部の下面に連結部を介して配設され各種装置を構成する骨材でありＣ型溝を有するフレームのＣ型溝に挿入されてから回転することにより基板部と共にフレームを挟み込む係止部と、を備えた結束バンド固定具のヘッド部を収容する収容部を備えることで、Ｃ型溝に結束バンド固定具の係止部を挿入しヘッド部を収容部に収容し握り部を回転させることで結束バンド固定具を回転させ、フレームに結束バンド固定具を固定することができる。そのため、専用の着脱治具を用いずとも、装置の組み立て等において頻繁に使用するドライバ工具により、作業者が容易に結束バンド固定具のヘッド部を回転させることができるようになるため、作業者に不必要な労力を強いることがなくなり、また、工具の頻繁な持ち替えが不要となることで、作業効率を向上させることができる。
【図面の簡単な説明】
【０００９】
【図１】ドライバ工具及び結束バンド固定具の一例を示す斜視図である。
【図２】図２（Ａ）〜（Ｂ）は、結束バンド固定具の上部側を異なる角度から見た場合の斜視図である。図２（Ｃ）は、結束バンド固定具を下部側を示す斜視図である。
【図３】フレームのＣ型溝に結束バンド固定具の係止部を挿入し、ドライバ工具で回転させる状態を示す斜視図である。
【図４】結束バンド固定具のヘッド部がドライバ工具の収容部に収容されている状態を示す下部側から見た場合の斜視図である。
【図５】フレームに固定された結束バンド固定具に結束バンドを挿通させる状態を示す斜視図である。
【発明を実施するための形態】
【００１０】
図１に示すネジを回転させるドライバ工具１は、ネジ頭に挿入するビット部１０と、ビット部１０と連結される握り部１１とで構成されている。
【００１１】
ビット部１０は、例えば、棒状に形成された金属製の基軸部１００と、基軸部１００の先端となり十字状のネジ溝（プラス溝）が形成されている先端部１０１とから構成されている。なお、先端部１０１には、マイナス溝が形成されていてもよい。例えば、握り部１１にビット部１０が連結された状態で高トルクが必要となる場合には、基軸部１００の後端に六角を取り付けた構成とすることで、レンチやスパナを六角に掛けてまわすことができるようにしてもよい。
【００１２】
ビット部１０は、例えば、握り部１１に基軸部１００が着脱可能に挿嵌されることで、握り部１１に連結される。例えば硬質性の樹脂からなる握り部１１は、ビット部１０が挿嵌される基部１１０と、基部１１０の上端側（ビット部１０側）において径方向外向きに延出されるツバ部１１１とを備えており、作業者の手の中に収まる大きさであると好ましい。図示の例においては、基部１１０は、ビット部１０側に近づくにつれてなだらかに縮径していく形状に形成されており、また、その側面１１０ｃの一部が切り欠かれ滑り止めの溝が形成されていることで、作業者が基部１１０を握持しやすく回転力を込めやすい形状になっているが、この形状に限定されるものではない。
【００１３】
例えば、基部１１０の底面１１０ｂには、結束バンド固定具３のヘッド部３２を収容する収容部１１２が形成されている。図示の例においては、収容部１１２は、基部１１０の底面１１０ｂを、結束バンド固定具３のヘッド部３２が嵌合する溝状に切欠くことで形成されている。すなわち、図示の例においては、結束バンド固定具３のバンド挿通部３１を収容する四角形状凹部１１２ａと、結束バンド固定具３のヘッド部３２を収容する溝部１１２ｂとが連続して形成されている。なお、収容部１１２の形状は、図示の例には限定されず、仮想線Ｌ１で示すように、溝部１１２ｂを十字状に形成しヘッド部３２を収容する際の向きについて、より選択性を持たせるようにしてもよく、溝部１１２ｂを基部１１０の側面１１０ｃまで伸長させ開口させるようにしてもよい。また、本実施形態においては、収容部１１２が四角形状凹部１１２ａを備えることで、結束バンド固定具３がドライバ工具１の握り部１１に密接するものとなっているが、収容部１１２は、少なくともヘッド部３２を収容する溝部１１２ｂを備えていればよい。
【００１４】
図２（Ａ）〜（Ｃ）に示す結束バンド固定具３は、板状の基板部３０と、基板部３０の上面３０ａに配設され結束バンドが挿通可能なバンド挿通部３１と、基板部３０の上面３０ａにバンド挿通部３１から両側に延出するように立設されたヘッド部３２と、基板部３０の下面３０ｂに連結部３３を介して配設された係止部３４とを備えている。なお、結束バンド固定具３はその全体がエンプラ樹脂等から一体的に形成されているのが好ましい。
【００１５】
基板部３０は、例えば、エンプラ樹脂等を略正方形の平板状に形成したものであり、基板部３０の上面３０ａの略中央部にバンド挿通部３１が配設されている。バンド挿通部３１は、略正方形の平板状に形成された天板３１０と、天板３１０の下方において結束バンドを基板部３０に対して水平な方向に挿通可能な開口３１１とから構成されている。
【００１６】
ヘッド部３２は、バンド挿通部３１の対角線上にある２つの角から立設されている。例えば、ヘッド部３２の基板部３０の上面３０ａからの高さ位置は、バンド挿通部３１の天板３１０が位置する位置よりも高い位置となっており、天板３１０とヘッド部３２との間に形成される凹み部分に、配線コード等を落としこむことができる。
【００１７】
図２（Ｃ）に示すように、基板部３０の下面３０ｂの略中央部からは、例えば円柱状の連結部３３が垂設されており、連結部３３の下端側には係止部３４が配設されている。係止部３４は、両側に延出する一対のアーム部３４０を備えており、基板部３０の下面３０ｂと一対のアーム部３４０の上面３４０ａとの間隔は、図３に示す結束バンド固定具３が固定されるＣ型溝を有するフレーム４の一対の突出部４０の板厚より僅かばかり狭く形成されている。即ち、フレーム４の一対の突出部４０の板厚との噛み合い交差が小さく形成されている。
【００１８】
図３に示すフレーム４は、各種装置を構成する骨材である。フレーム４はアルミニウム合金等から形成されており、長手方向に伸長して形成される貫通孔４９が複数備えられている。フレーム４は４つの側面４ｃを有しており、各側面４ｃの略中心線上には一対の突出部４０によりＺ軸方向の境界が定められ長手方向に伸長するＣ型溝４１が形成されている。各側面４ｃにＣ型溝４１が長手方向に伸長して形成されているため、結束バンド固定具３は、フレーム４の何れの面にも固定可能となっている。
【００１９】
以下に、図１、図３〜５を用いて、ドライバ工具１により結束バンド固定具３をフレーム４に固定する場合の、ドライバ工具１の使用方法について説明する。なお、図３においては、ドライバ工具１の構成を簡略化して示している。まず、作業者が、図３に示すフレーム４のＣ型溝４１に、結束バンド固定具３の係止部３４を挿入する。すなわち、Ｃ型溝４１の伸長方向（図示の例においては、Ｘ軸方向）と係止部３４の一対のアーム部３４０の延出方向とを一致させ、＋Ｚ方向からＣ型溝に係止部３４を挿入する。
【００２０】
次いで、作業者が図１に示すドライバ工具１を把持し、ドライバ工具１の基部１１０の底面１１０ｂ側を結束バンド固定具３のヘッド部３２に相対させる。そして、結束バンド固定具３のバンド挿通部３１がドライバ工具１の収容部１１２の四角形状凹部１１２ａに、また、ヘッド部３２が溝部１１２ｂに嵌るようにして、図４に示すようにヘッド部３２を収容部１１２に収容させる。さらに、作業者がドライバ工具１の握り部１１を手で把持して、握り部１１を図３に示す矢印Ｒで示す左右何れかの方向に９０度回転させる。
【００２１】
これにより、基板部３０と係止部３４との間にフレーム４の突出部４０を挟み込むことで、結束バンド固定具３がフレーム４に固定される。すなわち、係止部３４の一対のアーム部３４０が、その上面３４０ａが突出部４０の内側側面を摺接しながら弾性変形することで、一対のアーム部３４０の上面３４０ａと基板部３０の下面３０ｂとの間隔が広がり、その間隔に挟み込まれていくフレーム４の突出部４０が、結束バンド固定具３の弾性力により挟持固定される。
【００２２】
結束バンド固定具３をフレーム４に固定した後、結束バンド固定具３からドライバ工具１を外すことで、図５に示すように、ドライバ工具１を用いた結束バンド固定具３のフレーム４への固定作業が完了する。さらに、例えば、結束バンド固定具３上に図示しないコード等を載せ、図５に示す結束バンドＢをテール部Ｂｂ側からバンド挿通部の開口に挿通して、テール部Ｂｂをヘッド部Ｂａに通すことで、コード等を結束バンドＢによりフレーム４上において結束することができる。
【００２３】
本発明に係るドライバ工具１は、ネジ頭に挿入するビット部１０と、ビット部１０と連結される握り部１１とで構成され、握り部１１には、板状の基板部３０と、基板部３０の上面３０ａに配設され結束バンドＢが挿通可能なバンド挿通部３１と、基板部３０の上面３０ａにバンド挿通部３１から両側に延出するように立設されたヘッド部３２と、基板部３０の下面３０ｂに連結部３３を介して配設され各種装置を構成する骨材でありＣ型溝４１を有するフレーム４のＣ型溝４１に挿入されてから回転することにより基板部３０と共にフレーム４を挟み込む係止部３４と、を備えた結束バンド固定具３のヘッド部３２を収容する収容部１１２を備えることで、Ｃ型溝４１に結束バンド固定具３の係止部３４を挿入しヘッド部３２を収容部１１２に収容し握り部１１を回転させることで結束バンド固定具３を回転させ、フレーム４に結束バンド固定具３を固定することができる。そのため、専用の着脱治具を用いずとも、装置の組み立て等において頻繁に使用するドライバ工具１により、作業者が容易に結束バンド固定具３のヘッド部３２を回転させることができるようになるため、作業者に不必要な労力を強いることがなくなり、また、工具の頻繁な持ち替えが不要となることで、作業効率を向上させることができる。さらに、例えば、ペンチ等によりヘッド部３２の片側のみを挟み込みヘッド部３２を回転させる場合とは異なり、ドライバ工具１においては、ヘッド部３２の全体を収容部１１２により収容してからヘッド部３２を回転させることで、ヘッド部３２全体に均一な力を掛けることができるため、ヘッド部３２の折損等を防ぐことが可能となる。
【００２４】
なお、本発明に係るドライバ工具は本実施形態に限定されるものではなく、また、添付図面に図示されているドライバ工具の各構成の大きさや形状等についても、これに限定されず、本発明の効果を発揮できる範囲内で適宜変更可能である。例えば、ドライバ工具１の握り部１１の形状は、四角形状や六角形状でもよく、その側面１１０ｃに収容部１１２を備えてもよく、また、側面１１０ｃに収容部１１２とは異なる形状の収容部を複数備えることで、様々な形状の結束バンド固定具のヘッド部を収容できるようにしてもよい。また、結束バンド固定具は、例えば、係止部の上面に板バネが配設されており、板バネの弾性力により、フレーム４に固定されるタイプのものでもよい。
【符号の説明】
【００２５】
１：ドライバ工具
１０：ビット部  １００：基軸部  １０１：先端部
１１：握り部  １１０：基部  １１０ｂ：基部の底面  １１０ｃ：基部の側面  
１１１：ツバ部
１１２：収容部  １１２ａ：四角形状凹部  １１２ｂ：溝部
３：結束バンド固定具  ３０：基板部  ３０ａ：基板部の上面  ３０ｂ：基板部の下面
３１：バンド挿通部  ３１０：天板  ３１１：開口  
３２：ヘッド部  ３３：連結部  
３４：係止部  ３４０：一対のアーム部  ３４０ａ：一対のアーム部の上面
４：フレーム  ４ｃ：フレームの側面  ４０：一対の突出部  ４１：Ｃ型溝  
４９：貫通孔
Ｂ：結束バンド  Ｂａ：結束バンドのヘッド部  Ｂｂ：結束バンドのテール部
【図１】
2017131995.tif 000003
【図２】
2017131995.tif 000004
【図３】
2017131995.tif 000005
【図４】
2017131995.tif 000006
【図５】
2017131995.tif 000007